(57)【要約】【課題】貯湯式給湯機をフォークリフトで運搬し易く、繰返し使用するときに、部品の欠落や紛失が発生し難く、また、組立の手間が掛からない貯湯式給湯機の台座を得ること。【解決手段】フォーク穴を有する扁平な方形の筒部と、該筒部の側部から前記フォーク穴と直角方向に突出する扁平な方形の第１差込部と、前記筒部の端部から前記第１差込部と直角方向に突出する扁平な方形の第２差込部と、を有する差込台座と、扁平な直方体箱形に形成され、一側部に、前記第１差込部を差込む第１差込穴が形成され、前記一側部と直角を成す他側部に、前記第１差込穴と直角方向に、前記第２差込部及びフォークを差込む第２差込穴が形成された箱形台座と、を２つずつ備え、該２つの差込台座を四角形の一方の対角位置に夫々配置し、該２つの箱形台座を他方の対角位置に夫々配置し、前記第１差込部を前記第１差込穴に差込み、前記第２差込部を前記第２差込穴に差込んで成る。【選択図】        図１
2010144953.tif 000002
【特許請求の範囲】
【請求項１】
フォークリフトのフォークを差込むフォーク穴を有する扁平な方形の筒部と、該筒部の側部から前記フォーク穴と直角方向に突出する扁平な方形の第１差込部と、前記筒部の端部から前記第１差込部と直角方向に突出する扁平な方形の第２差込部と、を有し、全体としてＬ字形に形成された差込台座と、
扁平な直方体箱形に形成され、一側部に、前記第１差込部を差込む第１差込穴が形成され、前記一側部と直角を成す他側部に、前記第１差込穴と直角方向に、前記第２差込部及び前記フォークを差込む第２差込穴が形成された箱形台座と、
を２つずつ備え、該２つの差込台座を四角形の一方の対角位置に夫々配置し、該２つの箱形台座を他方の対角位置に夫々配置し、前記第１差込部を前記第１差込穴に差込み、前記第２差込部を前記第２差込穴に差込んで成ることを特徴とする貯湯式給湯機の台座。
【請求項２】
前記差込台座の第１、第２差込部の側部には、夫々第１、第２ダボが形成され、前記箱形台座の第１、第２差込穴の側部には、夫々前記第１、第２ダボと係合して前記第１、第２差込部の差込長さが所定の長さになるように位置決めする第１、第２ダボ孔が形成されていることを特徴とする請求項１に記載の貯湯式給湯機の台座。
【請求項３】
前記差込台座の筒部及び第１差込部の上面、及び、前記箱形台座の上面には、機種の異なる貯湯式給湯機の脚に対応して、夫々複数の脚固定孔が設けられていることを特徴とする請求項１又は２に記載の貯湯式給湯機の台座。
【発明の詳細な説明】
【技術分野】
【０００１】
本発明は、貯湯式給湯機を運搬するときに使用する台座に関するものである。
【背景技術】
【０００２】
従来、被梱包品の上下面を受ける天板トレー及び底部トレーと、その両トレーの各コーナー部間に離脱可能に配置される支柱と、前記両トレーを繋いで締結する締結具と、から成る梱包装置がある。この梱包装置は、前記天板トレー及び底部トレーをそれぞれ略等分に四分割し、直交する水平二方向に伸縮可能になっている（例えば、特許文献１参照）。
【０００３】
【特許文献１】登録実用新案第３０２０６２９号公報（第２頁、図２、３）
【発明の開示】
【発明が解決しようとする課題】
【０００４】
しかしながら、上記従来の技術によれば、被梱包品を、フォークリフトで運搬することが難しい、という問題があった。また、天板トレー及び底部トレーの４つの部品の組立締結部材として、位置決めピン及びボルト・ナットを用いているので、繰返し使用するときに、それらの部品の欠落や紛失が発生し、また、締結の手間が掛かる、という問題があった。
【０００５】
本発明は、上記に鑑みてなされたものであって、貯湯式給湯機をフォークリフトで運搬し易く、繰返し使用するときに、部品の欠落や紛失が発生し難く、また、組立の手間が掛からない貯湯式給湯機の台座を得ることを目的とする。
【課題を解決するための手段】
【０００６】
上述した課題を解決し、目的を達成するために、本発明は、フォークリフトのフォークを差込むフォーク穴を有する扁平な方形の筒部と、該筒部の側部から前記フォーク穴と直角方向に突出する扁平な方形の第１差込部と、前記筒部の端部から前記第１差込部と直角方向に突出する扁平な方形の第２差込部と、を有し、全体としてＬ字形に形成された差込台座と、扁平な直方体箱形に形成され、一側部に、前記第１差込部を差込む第１差込穴が形成され、前記一側部と直角を成す他側部に、前記第１差込穴と直角方向に、前記第２差込部及び前記フォークを差込む第２差込穴が形成された箱形台座と、を２つずつ備え、該２つの差込台座を四角形の一方の対角位置に夫々配置し、該２つの箱形台座を他方の対角位置に夫々配置し、前記第１差込部を前記第１差込穴に差込み、前記第２差込部を前記第２差込穴に差込んで成ることを特徴とする。
【発明の効果】
【０００７】
この発明によれば、貯湯式給湯機をフォークリフトで運搬し易く、繰返し使用するときに、部品の欠落や紛失が発生し難く、また、組立の手間が掛からない貯湯式給湯機の台座が得られる、という効果を奏する。
【発明を実施するための最良の形態】
【０００８】
以下に、本発明にかかる貯湯式給湯機の台座の実施の形態を図面に基づいて詳細に説明する。なお、この実施の形態によりこの発明が限定されるものではない。
【０００９】
実施の形態
図１は、本発明にかかる貯湯式給湯機の台座の実施の形態を示す分解斜視図であり、図２は、実施の形態の台座の２つの差込台座が四角形の対角位置に配置された状態を示す斜視図であり、図３は、実施の形態の台座の２つの箱形台座が四角形の対角位置に配置された状態を示す斜視図であり、図４は、実施の形態の台座が組立られた状態を示す斜視図であり、図５は、実施の形態の台座が最も縮小された状態を示す斜視図であり、図６は、実施の形態の台座に貯湯式給湯機を設置した状態を示す斜視図であり、図７は、図６のａ部断面拡大図であり、図８は、実施の形態の台座を貯湯式給湯機に取付ける状態を示す下方斜視図である。
【００１０】
図１に示すように、台座９１は、互いに１８０°回転して四角形の一方の対角位置に配置される２つの差込台座１１と、互いに１８０°回転して四角形の他方の対角位置に配置される２つの箱形台座１２と、備えている。
【００１１】
図２に示すように、差込台座１１は、機械的強度に優れた樹脂を成型したものである。差込台座１１は、フォークリフトのフォークを差込むフォーク穴１１ｉを有する扁平な方形の筒部１１ｍと、筒部１１ｍの側部からフォーク穴１１ｉと直角方向に突出する扁平な方形の第１差込部１１ａと、筒部１１ｍの端部から第１差込部１１ａと直角方向（フォーク穴１１ｉの方向）に突出する扁平な方形の第２差込部１１ｂと、を有し、全体としてＬ字形に形成されている。第１差込部１１ａ及び第２差込部１１ｂの厚さ及び幅は、筒部１１ｍの厚さ及び幅よりも小さく形成されている。
【００１２】
第１差込部１１ａの上面及び下面には、全長に亘って４本の第１凸条１１ｃが設けられ、第２差込部１１ｂの上面及び下面には、全長に亘って４本の第２凸条１１ｄが設けられている。第１差込部１１ａの一側部には、第１ダボ１１ｅが、複数個設けられており、第２差込部１１ｂの一側部には、第２ダボ１１ｆが複数個設けられている。
【００１３】
差込台座１１の筒部１１ｍの上面には、後述の貯湯式給湯機１３の右後脚１３ｂを締結するための後脚固定孔１１ｇが設けられている。後脚固定孔１１ｇは、機種の異なる貯湯式給湯機１３の脚に対応するために、複数設けられている。同様に、差込台座１１の第１差込部１１ａの上面には、貯湯式給湯機１３の前脚１３ａを締結するための前脚固定孔１１ｈが設けられている。前脚固定孔１１ｈは、機種の異なる貯湯式給湯機１３の脚に対応するために、複数設けられている。
【００１４】
図３に示すように、箱形台座１２は、機械的強度に優れた樹脂を成型したものである。箱形台座１２は、扁平な直方体箱形に形成され、一側部に、差込台座１１の第１差込部１１ａを差込む第１差込穴１２ａが形成され、前記一側部と直角を成す他側部に、第１差込穴１２ａと直角方向に、差込台座１１の第２差込部１１ｂを差込む第２差込穴１２ｂが形成されている。第２差込穴１２ｂは、フォークリフトのフォークを差込むフォーク穴としても使用される。
【００１５】
箱形台座１２の第１差込穴１２ａの上面及び下面には、夫々４本の第１凹溝１２ｃが設けられ、差込台座１１の第１凸条１１ｃを第１凹溝１２ｃに嵌合させて第１差込部１１ａの差込みをガイドする。同様に、箱形台座１２の第２差込穴１２ｂの上面及び下面には、夫々４本の第２凹溝１２ｄが設けられ、差込台座１１の第２凸条１１ｄを第２凹溝１２ｄに嵌合させて第２差込部１１ｂの差込みをガイドする。
【００１６】
箱形台座１２の第１差込穴１２ａの側部には、第１ダボ孔１２ｅが設けられており、第１ダボ孔１２ｅに差込台座１１の第１ダボ１１ｅが係合することにより、第１差込部１１ａの差込長さが所定の長さになるように位置決めされる。同様に、第２差込穴１２ｂの側部には、第２ダボ孔１２ｆが設けられており、第２ダボ孔１２ｆに差込台座１１の第２ダボ１１ｆが係合することにより、第２差込部１１ｂの差込長さが所定の長さになるように位置決めされる。
【００１７】
また、箱形台座１２の第２差込穴１２ｂの上面には、貯湯式給湯機１３の左後脚１３ｃを締結するための後脚固定孔１２ｇが設けられている。後脚固定孔１２ｇは、機種の異なる貯湯式給湯機１３の脚に対応して、複数設けられている。同様に、箱形台座１２の第１差込穴１２ａの上面には、貯湯式給湯機１３の前脚１３ａを締結するための前脚固定孔１２ｈが設けられている。前脚固定孔１２ｈは、機種の異なる貯湯式給湯機１３の脚に対応して、複数設けられている。
【００１８】
図４に示すように、互いに１８０°回転して四角形の一方の対角位置に配置された２つの差込台座１１の第１差込部１１ａを、互いに１８０°回転して四角形の他方の対角位置に配置された２つの箱形台座１２の第１差込穴１２ａに差込み、第２差込部１１ｂを第２差込穴１２ｂに差込み、第１、第２の差込部１１ａ、１１ｂの差込量を調節することにより、台座９１は、脚位置が異なる複数機種の貯湯式給湯機１３に共用可能である。
【００１９】
図４に示すように、台座９１は、貯湯式給湯機１３を設置した状態で、フォーク穴１１ｉ、１２ｂにフォークリフトのフォーク１７を差込むことができ、貯湯式給湯機１３をフォークリフトにより容易に運搬することができる。フォーク１７は、図４に示す方向と逆の方向からも差込むことができる。
【００２０】
図５に示すように、台座９１は、貯湯式給湯機１３の運搬等を行なった後に、貯湯式給湯機１３から取外し、第１、第２差込部１１ａ、１１ｂの全部を箱形台座１２に差込めば、最小外形となり、返却する際に嵩張らない。
【００２１】
図６に示すように、台座９１は、貯湯式給湯機１３の製造工程の初期段階で貯湯式給湯機１３に取付けられ、生産ライン上で製品が組み立てられ、梱包される。梱包後、倉庫での保管、トラックでの輸送、積降ろしを経て、貯湯式給湯機１３が現場に設置される直前まで、貯湯式給湯機１３に取付けられている。
【００２２】
図７及び図８に示すように、台座９１の取付けは、貯湯式給湯機１３の製造工程の初期段階において、貯湯タンク部、下部ケース及び前脚１３ａ、右後脚１３ｂ及び左後脚１３ｃが取付けられ、貯湯式給湯機１３が横置きされた状態で行なわれる。
【００２３】
台座９１の底面の工具差込口１１ｊ、１２ｊから、前脚固定孔１１ｈ（１２ｈ）及び後脚固定用孔１１ｇ、１２ｇの３箇所にボルト１４を差込み、貯湯式給湯機１３の前脚１３ａ、右後脚１３ｂ及び左後脚１３ｃの夫々の脚底部の孔にボルト１４を挿入して台座９１を取付け、ボルト１４のネジ部に座金１５を嵌め、ナット１６で締結する。台座９１は、貯湯式給湯機１３の脚１３ａ、１３ｂ、１３ｃとの締結によっても、差込台座１１と箱形台座１２との相対位置決めを行うことができ、第１、第２ダボ１１ｅ、１１ｆ及び第１、第２ダボ孔１２ｅ、１２ｆは必ずしも設ける必要はない。
【００２４】
以上説明したように、台座９１を最小外形まで縮小させることにより、纏まった数量の台座９１をリターナブル使用のために工場へ返送する輸送時の積載効率が向上する。台座９１のリターナブル使用により、貯湯式給湯機１３の台座部品コストの削減を図ることができる。
【００２５】
また、台座９１の部品として、差込台座１１と箱形台座１２の２種類の部品を２個使用することにより、リターナブル使用の結果、仮に、部品の１つが破損しても、台座９１全部を廃棄する必要はなく、破損した部品のみを交換してリターナブル使用することができる。これにより、梱包廃材が減少し、環境に優しい台座として利用が促進される。また、差込台座１１と箱形台座１２とを締結する部品を必要としないので、部品の欠落や紛失が発生し難い。
【産業上の利用可能性】
【００２６】
以上のように、本発明にかかる貯湯式給湯機の台座は、環境に優しい台座として有用である。
【図面の簡単な説明】
【００２７】
【図１】本発明にかかる貯湯式給湯機の台座の実施の形態を示す分解斜視図である。
【図２】実施の形態の台座の２つの差込台座が四角形の対角位置に配置された状態を示す斜視図である。
【図３】実施の形態の台座の２つの箱形台座が四角形の対角位置に配置された状態を示す斜視図である。
【図４】実施の形態の台座が組立られた状態を示す斜視図である。
【図５】実施の形態の台座が最も縮小された状態を示す斜視図である。
【図６】実施の形態の台座に貯湯式給湯機を設置した状態を示す斜視図である。
【図７】図６のａ部断面拡大図である。
【図８】実施の形態の台座を貯湯式給湯機に取付ける状態を示す下方斜視図である。
【符号の説明】
【００２８】
１１  差込台座
１１ａ  第１差込部
１１ｂ  第２差込部
１１ｃ  第１凸条
１１ｄ  第２凸条
１１ｅ  第１ダボ
１１ｆ  第２ダボ
１１ｇ  後脚固定孔（脚固定孔）
１１ｈ  前脚固定孔（脚固定孔）
１１ｉ  フォーク穴
１１ｊ  工具差込口
１１ｍ  筒部
１２  箱形台座
１２ａ  第１差込穴
１２ｂ  第２差込穴（フォーク穴）
１２ｃ  第１凹溝
１２ｄ  第２凹溝
１２ｅ  第１ダボ孔
１２ｆ  第２ダボ孔
１２ｇ  後脚固定孔（脚固定孔）
１２ｈ  前脚固定孔（脚固定孔）
１２ｊ  工具差込口
１３  貯湯式給湯機
１３ａ  前脚（脚）
１３ｂ  右後脚（脚）
１３ｃ  左後脚（脚）
１４  ボルト
１５  座金
１６  ナット
１７  フォーク
９１  台座
【図１】
2010144953.tif 000003
【図２】
2010144953.tif 000004
【図３】
2010144953.tif 000005
【図４】
2010144953.tif 000006
【図５】
2010144953.tif 000007
【図６】
2010144953.tif 000008
【図７】
2010144953.tif 000009
【図８】
2010144953.tif 000010